(57)【要約】【課題】異なるゲームコンテンツ間での好適な連動要素を実現する。【解決手段】ゲーム装置は、ゲームプレイに際し物品から取得された物品情報に基づき、該物品情報に対応するキャラクタまたはアイテムをゲーム中に登場させた第１のゲームコンテンツに係るゲーム処理を実行する。装置はゲーム処理の実行中又は実行後、ゲーム中に登場させたキャラクタまたはアイテムに係る別の物品情報を有する新たな物品の排出指示を行う。このとき装置は、物品情報が取得された物品が第１のゲームコンテンツと異なる第２のゲームコンテンツを提供する別のゲーム装置により排出された物品である場合、該物品情報に基づいてゲーム中に登場させたキャラクタまたはアイテムに係る新たな物品の排出指示は行わせないよう制御する。【選択図】図４
2017113178.tif 000002
【特許請求の範囲】
【請求項１】
ゲームプレイに際し物品から取得された物品情報に基づき、該物品情報に対応するキャラクタまたはアイテムをゲーム中に登場させた第１のゲームコンテンツに係るゲーム処理を実行する実行手段と、
前記ゲーム処理の実行中又は実行後、前記ゲーム中に登場させたキャラクタまたはアイテムに係る別の物品情報を有する新たな物品の排出指示を行う指示手段と、
前記物品情報に基づき、該物品情報が取得された物品がいずれのゲーム装置により排出された物品であるか否かに応じて、前記指示手段を制御する制御手段と、を有し、
前記制御手段は、前記物品情報が取得された物品が前記第１のゲームコンテンツと異なる第２のゲームコンテンツを提供する別のゲーム装置により排出された物品である場合に、該物品情報に基づいて前記ゲーム中に登場させたキャラクタまたはアイテムに係る前記新たな物品の排出指示は行わせないように前記指示手段を制御する
ことを特徴とするゲーム装置。
【請求項２】
前記物品情報は、少なくとも該物品情報を有する物品を排出したゲーム装置を識別する識別情報を含み、
前記実行手段は、前記識別情報に依らず、取得した前記物品情報に基づくキャラクタまたはアイテムをゲーム中に登場させるよう前記ゲーム処理を実行し、
前記制御手段は、前記識別情報に基づいて、前記物品情報が取得された物品が前記ゲーム装置と前記別のゲーム装置のいずれにより排出された物品であるかを判断する
ことを特徴とする請求項１に記載のゲーム装置。
【請求項３】
前記指示手段による排出指示に基づき、前記新たな物品として第１の種別の物品を排出する排出手段をさらに有し、
前記排出手段は、前記第２のゲームコンテンツを提供する前記別のゲーム装置が排出する第２の種別の物品は排出しない
ことを特徴とする請求項１または２に記載のゲーム装置。
【請求項４】
前記ゲーム処理の実行中又は実行後、前記ゲーム中に登場させたキャラクタまたはアイテムに各々対応する複数の画像を表示手段に表示させ、いずれかの画像に対する操作入力に基づき前記新たな物品を排出させるキャラクタまたはアイテムを選択する選択手段をさらに有し、
前記指示手段は、前記選択手段により選択されたキャラクタまたはアイテムに係る前記新たな物品の排出指示を行う
ことを特徴とする請求項３に記載のゲーム装置。
【請求項５】
前記選択手段は、前記ゲーム中に登場させたキャラクタまたはアイテムのうち、前記第１の種別の物品から取得された前記物品情報に基づくキャラクタまたはアイテムに対応する画像は選択可能な態様で前記表示手段に表示させ、前記第２の種別の物品から取得された前記物品情報に基づくキャラクタまたはアイテムに対応する画像は選択不可能な態様で前記表示手段に表示させることを特徴とする請求項４に記載のゲーム装置。
【請求項６】
前記第１のゲームコンテンツに係る前記ゲームは、前記ゲームプレイに際して取得された前記物品情報に基づき前記ゲーム中に登場させたキャラクタと、前記ゲーム処理において決定された相手キャラクタとの間で対戦ゲームを実現するものであり、
前記選択手段は、前記ゲームプレイに際し前記物品情報が取得された物品が全て前記第２の種別の物品である場合に、前記第１のゲームコンテンツについて定められたキャラクタのうちから抽選処理により選択されたキャラクタ及び前記相手キャラクタの少なくともいずれかの画像を前記表示手段に表示させる
ことを特徴とする請求項４または５に記載のゲーム装置。
【請求項７】
前記第１の種別の物品は、前記第１のゲームコンテンツに係る前記ゲーム処理の実行内容に応じて動的に決定された情報を含む前記物品情報を有し、
前記第２の種別の物品は、前記第２のゲームコンテンツに係るゲーム処理の実行内容に依らず固定的な前記物品情報を有する
ことを特徴とする請求項３乃至６のいずれか１項に記載のゲーム装置。
【請求項８】
前記物品情報を物品から取得する第１の取得手段をさらに有し、
前記第１の種別の物品と前記第２の種別の物品とは、同一の情報取得方式を用いて、前記第１の取得手段により前記物品情報の取得がなされる
ことを特徴とする請求項３乃至７のいずれか１項に記載のゲーム装置。
【請求項９】
前記第１のゲームコンテンツと前記第２のゲームコンテンツとは、同一のタイトルに係る異なるゲームコンテンツであることを特徴とする請求項１乃至８のいずれか１項に記載のゲーム装置。
【請求項１０】
前記物品情報が取得された物品について、前記別のゲーム装置において該物品を使用して前記第２のゲームコンテンツのゲームプレイがなされた回数、前記別のゲーム装置において該物品を使用した前記第２のゲームコンテンツのゲームプレイによるゲーム進行状況、及び前記ゲーム装置において該物品を使用した前記第１のゲームコンテンツのゲームプレイがなされた回数の少なくともいずれかを示す履歴情報を取得する第２の取得手段をさらに有し、
前記実行手段は、前記物品情報が取得された物品が前記別のゲーム装置により排出された物品である場合に、該物品情報に基づくキャラクタまたはアイテムのゲームパラメータを、前記第２の取得手段により取得された履歴情報に基づいて変更して前記ゲーム処理を実行する
ことを特徴とする請求項９に記載のゲーム装置。
【請求項１１】
前記物品情報が取得された物品について、前記別のゲーム装置において該物品を使用して前記第２のゲームコンテンツのゲームプレイがなされた回数、前記別のゲーム装置において該物品を使用した前記第２のゲームコンテンツのゲームプレイによるゲーム進行状況、及び前記ゲーム装置において該物品を使用した前記第１のゲームコンテンツのゲームプレイがなされた回数の少なくともいずれかを示す履歴情報を取得する第２の取得手段をさらに有し、
前記制御手段は、前記物品情報が取得された物品が前記ゲーム装置により排出された物品である場合に、該物品情報に基づくキャラクタまたはアイテムに係る前記別の物品情報を、前記第２の取得手段により取得された履歴情報に基づいて変更して前記指示手段に排出指示を行わせる
ことを特徴とする請求項９または１０に記載のゲーム装置。
【請求項１２】
コンピュータを、請求項１乃至１１のいずれか１項に記載のゲーム装置として機能させるためのプログラム。
【発明の詳細な説明】
【技術分野】
【０００１】
本発明は、ゲーム装置及びプログラムに関し、特に物品の読み取り及び排出の機能を有するゲーム装置に関する。
【背景技術】
【０００２】
近年、１回のゲームプレイに対し、ゲーム進行中に登場したキャラクタを印刷した印刷媒体を排出するゲーム装置がある。
【０００３】
特許文献１に開示されるゲーム装置では、ユーザは、ゲームコンテンツに登場するものとして予め定められたキャラクタのうち、ゲーム開始前に読み取らせたカードに対応するキャラクタをゲーム進行中に登場させて使用することができる。またゲーム終了時には、ゲーム進行中に登場したキャラクタのうちの選択されたキャラクタの画像を、ゲーム進行を反映した状態（ステータス等）で印刷したカードが排出され、ユーザは次回以降のゲームプレイにおいて反映後のステータスから同キャラクタを使用することができる。
【先行技術文献】
【特許文献】
【０００４】
【特許文献１】特開２０１５−１１６２６８号公報
【発明の概要】
【発明が解決しようとする課題】
【０００５】
ところで、従来、同一タイトルに係るゲームコンテンツを、各々異なるゲーム体験を与える複数種類の作品として提供することがなされてきている。例えば、Ａというタイトルが付されたゲームコンテンツは、１作品だけでなく、同一のゲームジャンルに係るシリーズの後継作品や、異なるゲームジャンルや異なるシリーズでの派生作品等、複数種類の作品に展開して提供され得る。同一タイトルに係る複数のゲームコンテンツでは、主要キャラクタやアイテム等のゲーム内オブジェクトは共通して登場するように設計されることも多く、各ゲームコンテンツを提供する機器間の連動要素や、ゲームコンテンツ間でのデータ連動要素等も提供されることがある。
【０００６】
一方で、同一のタイトルに係る異なるゲームコンテンツ間でこのような連動要素が提供される場合、次のような問題が生じ得る。例えば、第２のゲーム装置で提供される第２のゲームコンテンツにおいて使用可能にするための条件（以下、入手条件）が設定されるキャラクタが、その入手条件を満たした後にデータ連動させることで、第１のゲーム装置で提供される第１のゲームコンテンツにおいても使用可能に提供される場合、該キャラクタの第１のゲームコンテンツにおける取り扱いによってはユーザの興趣を低減し得る。より詳しくは、該キャラクタが第１のゲームコンテンツにおける有利なゲーム進行を可能せしめるキャラクタに設定されている場合、第２のゲームコンテンツにおける入手条件の達成をもって使用可能としてしまうことで、所謂ゲームバランスの崩壊によりユーザの第１のゲームコンテンツに対する興趣を削ぎ得る。また第１のゲームコンテンツが、ユーザ間の対戦を行うコンテンツやゲーム内成績のユーザランキングに対応したコンテンツ等である場合、第１のゲームコンテンツしかプレイしていないユーザの有意義なゲームプレイを阻害し、興趣を削ぎ得る。
【０００７】
本発明は、上述の問題点に鑑みてなされたものであり、異なるゲームコンテンツ間での好適な連動要素を実現するゲーム装置及びプログラムを提供することを目的とする。
【課題を解決するための手段】
【０００８】
前述の目的を達成するために、本発明のゲーム装置は、ゲームプレイに際し物品から取得された物品情報に基づき、該物品情報に対応するキャラクタまたはアイテムをゲーム中に登場させた第１のゲームコンテンツに係るゲーム処理を実行する実行手段と、ゲーム処理の実行中又は実行後、ゲーム中に登場させたキャラクタまたはアイテムに係る別の物品情報を有する新たな物品の排出指示を行う指示手段と、物品情報に基づき、該物品情報が取得された物品がいずれのゲーム装置により排出された物品であるか否かに応じて、指示手段を制御する制御手段と、を有し、制御手段は、物品情報が取得された物品が第１のゲームコンテンツと異なる第２のゲームコンテンツを提供する別のゲーム装置により排出された物品である場合に、該物品情報に基づいてゲーム中に登場させたキャラクタまたはアイテムに係る新たな物品の排出指示は行わせないように指示手段を制御することを特徴とする。
【発明の効果】
【０００９】
このような構成により本発明によれば、異なるゲームコンテンツ間での好適な連動要素を実現することが可能となる。
【図面の簡単な説明】
【００１０】
【図１】本発明の実施形態に係るゲーム装置１００の機能構成を示したブロック図
【図２】本発明の実施形態に係るゲーム装置１００で実行される第１のゲームコンテンツのプレイ処理を例示したフローチャート
【図３】本発明の実施形態に係る使用キャラクタの登録処理を例示したフローチャート
【図４】本発明の実施形態に係るカード情報の生成処理を例示したフローチャート
【図５】本発明の実施形態に係る第１のゲーム装置及び第２のゲーム装置により排出されるカードを例示した図
【図６】本発明の実施形態に係る各種情報のデータ構成例を示した図
【発明を実施するための形態】
【００１１】
［実施形態］
以下、本発明の例示的な実施形態について、図面を参照して詳細に説明する。なお、以下に説明する一実施形態は、ゲーム装置の一例としての、同一のタイトルに係る異なるゲームコンテンツを提供する別のゲーム装置により排出された物品を使用したゲームプレイが可能なゲームコンテンツを提供するゲーム装置に、本発明を適用した例を説明する。しかし、本発明は、排出された物品を使用したゲームプレイが提供することが可能な任意の機器に適用可能である。
【００１２】
また、本明細書等において「タイトル」とは、ゲームプレイを提供する１つのゲーム作品に付された題名や商品名のみを指すものではなく、シリーズ作品や派生作品等の同一のキャラクタや世界観について提供される一連の作品群を特定する目的で使用される。故に、同一の「タイトル」に係る作品には、同一の種別のゲーム装置（ゲームコンソールやゲーム筐体等のハードウェア）においてゲームプレイが可能なように提供される複数種類の作品、あるいは異なる種別のゲーム装置の各々においてゲームプレイが可能なように提供される複数種類の作品が含まれ得る。
【００１３】
また、本明細書等において「ゲームコンテンツ」とは、このような一連の作品群のうちの１作品（１提供単位）を示すものとして説明する。即ち、１つのゲームコンテンツは、所定のゲーム装置において対応する処理が実行された場合に、該ゲームコンテンツに係るゲームプレイ（ユーザ体験）を提供するものであり、同一のタイトルに係るゲームコンテンツであっても、提供される内容や操作方法等はゲームコンテンツごとに少なくとも一部が異なる。
【００１４】
以下の説明では、本実施形態に係るゲーム装置１００においてゲームプレイが提供されるゲームコンテンツを「第１のゲームコンテンツ」、第１のゲームコンテンツと同一のタイトルに係るゲームコンテンツであるが、第１のゲームコンテンツとは異なるコンテンツを「第２のゲームコンテンツ」とする。また、ゲーム装置１００を含む、第１のゲームコンテンツに係るゲームプレイを提供するゲーム装置は、峻別の必要がある場合には「第１のゲーム装置」として言及する。また、第２のゲームコンテンツに係るゲームプレイを提供する上記別のゲーム装置は、これに対応し「第２のゲーム装置」として言及する。
【００１５】
《ゲーム装置１００の構成》
図１は、本発明の実施形態に係るゲーム装置１００の機能構成を示したブロック図である。
【００１６】
制御部１０１は、例えばＣＰＵであり、ゲーム装置１００が有する各ブロックの動作を制御する。具体的には制御部１０１は、例えば記録媒体１０２に記録されている各ブロックの動作プログラムを読み出し、メモリ１０３に展開して実行することにより各ブロックの動作を制御する。
【００１７】
記録媒体１０２は、例えば不揮発性メモリやＨＤＤ等の恒久的にデータを保持可能な記録装置である。記録媒体１０２は、ゲーム装置１００が有する各ブロックの動作プログラムに加え、各ブロックの動作において必要となるパラメータ等の情報や本ゲーム装置１００が実行するゲームに使用される各種のグラフィックスデータを記憶する。メモリ１０３は、例えば揮発性メモリ等の一時的なデータ記憶に使用される記憶装置である。メモリ１０３は、各ブロックの動作プログラムの展開領域としてだけでなく、各ブロックの動作において出力されたデータ等を一時的に記憶する格納領域としても用いられる。
【００１８】
支払検出部１０４は、ゲーム装置１００において対価の支払いがなされたことを検出する。対価の支払いは、例えば硬貨の投入口に所定の金額の硬貨や相当するコインが投入されたこと、あるいは所定の電子マネーに係るチップとの通信に基づく決算処理の完了等を検出することにより判断されるものであってよい。本実施形態のゲーム装置１００は、対価の支払いに基づいてユーザへのゲームプレイの提供を開始するものとして説明するが、対価の支払いは必須の要件ではなく、所定の開始指示に基づいてゲームプレイの提供は開始されるものであってよい。
【００１９】
取得部１０５は、本実施形態のゲーム装置１００が提供するゲームコンテンツ（第１のゲームコンテンツ）のゲームプレイに際し、該ゲームに使用するキャラクタまたはアイテムの情報を取得する。取得は、ゲーム装置１００と同一筐体内、あるいはゲーム装置１００の外部に着脱可能に接続されたリーダ１２０を介してなされ、所定のデータ変換処理等を介してゲーム処理における利用に適した形式に変換され取得される。リーダ１２０は、所定の部位にゲーム用の物品が載置されたことの検出、及び該物品の認識または該物品からの情報取得を、例えば撮像装置及び所定の画像処理を用いて行う。
【００２０】
以下、簡単のため、本実施形態のゲーム装置１００ではゲーム用の物品として構成されたカードを使用することで、該カードに付された情報（カード情報）の取得が行われるものとして説明する。ゲーム用の物品は、カードに限られるものではなく、後述の印刷部１４０により印刷され排出可能な印刷媒体であればいずれであってもよい。また、印刷部１４０が所謂３Ｄプリンタ等の立体造形物を生成可能な装置である場合は、物品はキャラクタに係るフィギュア等の造形物であってよく、印刷部１４０はこれにカード情報に相当するデータを記録させて出力するよう構成されてよい。また例えば、印刷部１４０が複数種類の玩具のソータを有し、所定のキャラクタに係る玩具を選択的に出力可能に構成された装置により代替される場合は、物品は該玩具であってよく、同様にこれにカード情報に相当するデータを記録させて出力するよう構成されてよい。また、１つのカードはゲームに登場させることが可能なキャラクタのうちのいずれかに対応付けられており、該キャラクタの図柄（画像）を有するものとして説明するが、カードがゲーム中のいずれかのアイテムに対応付けられる可能性を除外するものではない。カード情報は、本実施形態では図５に示されるような１次元あるいは多次元のパターン（コード画像）に変換されて印刷によりカードに付されるものとして説明する。しかしながら、カード情報はこのような可視の状態でカードに付されているものに限らず、不可視インクでの印刷により付される、あるいはカードに含まれるＩＣチップ等の記録媒体に記録されてデータとして保持されるものであってもよい。
【００２１】
図５は、第１のゲームコンテンツにおいてユーザがゲームプレイに際し使用可能なカードを示している。本実施形態のゲーム装置１００ではユーザは、後述するように第１のゲームコンテンツに係るゲームプレイのうち、所定のゲーム（対戦ゲーム）に係る処理の実行中又は実行後に排出されるカード（図５（ａ））に加えて、図５（ｂ）に示されるカードも使用することができる。図５（ｂ）に示されるカードは、第２のゲームコンテンツを提供する第２のゲーム装置により排出されるカードであり、図５（ａ）に示したカードと構成内容が異なる。一方で、第１のゲームコンテンツと第２のゲームコンテンツとは同一のタイトルに係るゲームコンテンツであることでストーリーや背景設定等が共通または関連しており、両コンテンツには同一のキャラクタが登場する。図５（ａ）及び（ｂ）に示したカードの構成例は、キャラクタ画像５０１とキャラクタ画像５１１とは異なる構図またはデザインの画像であるが、いずれも同一のキャラクタに対応付けられたカードを示している。またキャラクタ画像以外のカードを構成する要素も、図示されるように異なっており、例えば同一属性を示す少なくとも一部のパラメータは、第１のゲームコンテンツと第２のゲームコンテンツとで異なる値を示す。これはゲームコンテンツごとにキャラクタの取扱いが設計されることに基づくものであり、例えばストーリー上の役割の重要性や出現頻度、レアリティ等に応じて異ならせている。
【００２２】
一方で、カードを構成する要素のうち、上記したカード情報を示すコード画像５０２とコード画像５１２とは、カード上における配置位置は共通に設定されている。さらにこれらのコード画像は、カード情報が共通の変換（符号化）方式で変換されることで生成されるものであり、コード画像からの情報取得（復号）の方式も共通であってよい。またカード情報は、例えば図６（ａ）及び（ｂ）に示されるように同一のデータ長を有するよう調整されたデータ構造を有している。図６（ａ）は、第１のゲームコンテンツのゲームプレイが行われた際に、ゲーム装置１００から排出されるカードに付されるカード情報の構造を示している。また図６（ｂ）は、第２のゲームコンテンツのゲームプレイが行われた際に、第２のゲーム装置から排出されるカードに付されるカード情報の構造を示している。図示されるように、図６（ａ）のカード情報と図６（ｂ）のカード情報とは、カードＩＤ６０１とカードＩＤ６１１、キャラクタＩＤ６０２とキャラクタＩＤ６１２、及び排出装置情報６０４と排出装置情報６１４とが共通しており、パラメータ６０３とブランク６１３のみが異なっている。
【００２３】
カードＩＤは、カードを一意に特定するために付される識別情報であって、第１のゲームコンテンツと第２のゲームコンテンツとで同一の値が割り当てられないよう調整されるものであってもよいし、後述の排出装置情報でいずれのゲームコンテンツに対応するカードであるか識別可能であるため同一の値が割り当てられるものであってもよい。キャラクタＩＤは、ゲームコンテンツにおけるキャラクタを一意に特定する識別情報であり、後述のキャラクタＤＢ１０６の規模の低減を考えれば、１つのタイトルに係り同一のキャラクタには同一の識別情報が付されるものであることが好ましい。また排出装置情報とは、カードを排出したゲーム装置を判別するための情報であり、本実施形態では第１のゲーム装置と第２のゲーム装置とのいずれであるかを示す。換言すれば、排出装置情報は排出したゲーム装置において、第１のゲームコンテンツと第２のゲームコンテンツのいずれに係るゲーム処理が実行されていたかを示す情報であってよい。なお、本実施形態ではゲーム装置１００において使用可能なカードは簡単のため、第１のゲームコンテンツまたは第２のゲームコンテンツのゲームプレイの結果排出されるカードであるものとして説明するが、本発明の実施がこれに限られるものではないことは容易に理解されよう。即ち、ゲーム装置１００において使用可能なカードは、同一のタイトルに係る異なるゲームコンテンツのゲーム処理を実行する異なる装置により排出されたカードが使用可能であってよく、２種類に限定されるものではない。
【００２４】
一方、ゲーム装置１００（第１のゲーム装置）により排出されるカードと第２のゲーム装置により排出されるカードとは、図６（ａ）及び（ｂ）に示したように、前者が排出に際し実行されたゲーム処理の実行内容に応じて動的に生成されるパラメータ６０３を有し、後者はこれを有していない点で異なる。
【００２５】
本実施形態のゲーム装置１００にてゲームプレイが提供される第１のゲームコンテンツは、ユーザが対戦ゲームに係るゲームプレイを行ったことにより、ユーザによって異なる態様でキャラクタが成長や変化し得る所謂育成要素を有する。故に、第１のゲームコンテンツではユーザは、ゲームプレイに際しカードを用いて使用キャラクタとして設定したキャラクタについて、ゲームのプレイ結果に応じた成長を反映させた状態で新たなカードを排出させることができる。このとき、成長させた状態の情報が、プレイ結果に応じて動的に変更されたパラメータ６０３としてカード情報に含められ、次回以降のゲームプレイにおいて該カード情報を有するカードを使用することで、育成状態を継続したゲームプレイが提供されることになる。ここで、パラメータ６０３には、カード情報が付されたカードの所有者である、ゲームプレイを行ったユーザを識別する情報が含まれていてもよい。
【００２６】
他方、第２のゲーム装置にてゲームプレイが提供される第２のゲームコンテンツは、本実施形態ではこのような育成要素を有さない、あるいは育成後の状態のカードを排出するような所謂オンデマンド印刷によるカード生成を行わないものとする。この場合、ゲームプレイにおいて使用キャラクタの設定等に用いるカードには育成状態を反映したパラメータを有している必要はなく、キャラクタの特定のみできれば、第２のゲームコンテンツの提供は可能である。即ち、育成要素を有さないのであれば１つのキャラクタを使用する際のパラメータは固定的となり、わざわざカード情報にパラメータを含めておく必要がない。故に、第２の装置により排出されるカードに付されたカード情報には、パラメータ６０３に代えて、何らのパラメータも特定しない、例えば０埋めされた固定長のデータであるブランク６１３が含まれているものとする。つまり、第２のゲーム装置により排出されるカードに付されるカード情報は、ゲーム処理の実行内容に依らず固定的な内容となるため、例えば工場で生産されたカード等であってよい。なお、ブランク６１３は、０埋めされたデータ等である必要はなく、ゲーム処理の実行に依らず固定的な情報であればよい。また、当然第２のゲームコンテンツにおける固定的なパラメータを示すものとして構成されていてもよい。
【００２７】
キャラクタＤＢ１０６は、第１のゲームコンテンツに登場するものとして予め定められたキャラクタの各々についてキャラクタ情報を管理するデータベースである。１つのキャラクタについて管理されるキャラクタ情報は、例えば図６（ｃ）に示されるようなデータ構造を有するものであってよい。図６（ｃ）の例では、キャラクタを識別するキャラクタＩＤ６２１に関連付けて、成長要素を考慮しない状態について予め定められた、体力や攻撃力、持ち技、スキル等のキャラクタ固有の能力パラメータの初期値（基準値）を示す基本パラメータ６２２、基本パラメータからの各種パラメータについての成長（プレイ回数、プレイ内容）に応じた増減幅や、追加付与することが可能な持ち技、スキル等を示す成長情報６２３、及び該キャラクタをゲーム画面に描画するために必要となる各種の描画用データを含む描画用情報６２４が管理されている。
【００２８】
表示制御部１０７は、例えばＧＰＵ等の描画処理を行いゲームに係る画面を生成する描画装置である。表示制御部１０７は、第１のゲームコンテンツに係るゲーム画面の描画を行う。具体的には表示制御部１０７は、後述のゲーム処理の実行中、ゲームの進行状況に応じたゲーム内パラメータ等の情報に従って必要な描画用オブジェクトを読み出して適当な演算処理を実行し、描画を行う。生成したゲーム画面は、ゲーム装置１００と同一筐体内、あるいはゲーム装置１００の外部に着脱可能に接続された表示装置である表示部１３０に出力され、所定の表示領域中に表示されることでユーザに提示される。
【００２９】
抽選部１０８は、例えば乱数発生を用いる、第１のゲームコンテンツに係る種々の抽選処理を行う。第１のゲームコンテンツでは、ゲームプレイの実行中又は実行後に１体のキャラクタをゲーム処理の実行内容に応じて動的に決定されたパラメータ６０３を有するカード情報を付したカードとして出力（カード化）することができる。このとき、カード化できるキャラクタは、ゲーム中に登場させたキャラクタ、または第１のゲームコンテンツに登場するものとして定められたキャラクタのうちから選択されたキャラクタを所定の条件に応じて採用することができるが、抽選部１０８は例えば後者のキャラクタ選択に使用される。抽選部１０８による抽選処理に基づき選択されるキャラクタは、カード化を行うキャラクタであってもよいし、カード化を行う候補として挙げる複数のキャラクタであってもよい。また抽選部１０８の利用はこれに限られるものではなく、例えばパラメータ６０３の増減値を、予め定められた変更幅に含まれるいずれの値にするかの選択やスキル等を付与するか否かの決定に用いられるものであってもよい。
【００３０】
印刷制御部１０９は、カード化の指示がなされたキャラクタについて、カード情報のコード画像とキャラクタ画像とを含む、印刷出力するカードに係る印刷データを生成する。印刷制御部１０９は、印刷データを生成すると、該印刷データを印刷命令と共に印刷部１４０に伝送して該当のカードの印刷を指示し、排出させる。印刷部１４０は、ゲーム装置１００と同一筐体内、あるいはゲーム装置１００の外部に着脱可能に接続された、印刷制御部１０９との情報送受信が可能に構成されたプリンタ等の印刷装置である。印刷部１４０は、印刷制御部１０９からカードに係る印刷データ及び該データに係る印刷命令を受信すると、印刷データの印刷動作を行う。印刷により排出されるカードは、印刷部１４０がゲーム装置１００と同一筐体内に内蔵される場合は、ゲーム装置１００の外部からアクセス可能な不図示の排出口に導かれることでユーザに提供されてよい。
【００３１】
操作入力部１１０は、例えば方向入力用の操作部材や決定入力要の操作部材や各種センサ等の、ゲーム装置１００が有するユーザインタフェースである。操作入力部１１０は、操作部材に対する操作入力がなされたことを検出すると、該操作入力に対応する制御信号を制御部１０１に出力する。
【００３２】
通信部１１１は、カード化対象のキャラクタ選択やゲーム中の種々のコマンド確定に用いられるボタン等、ゲーム装置１００が有するユーザインタフェースである。操作入力部１１０は、各種ユーザインタフェースになされた操作入力を検出すると、該操作入力に対応する制御信号を制御部１０１に出力する。なお、本実施形態ではゲーム装置１００は物理的な操作部材として各種インタフェースを備えるものとして説明するが、例えば表示部１３０の画面上になされたタッチ入力を検出するタッチ入力検出センサ等を含んでいてもよい。
【００３３】
《プレイ処理》
このような構成をもつ本実施形態のゲーム装置１００において、第１のゲームコンテンツに係るゲームプレイを提供するプレイ処理について、図２のフローチャートを用いて具体的な処理を説明する。該フローチャートに対応する処理は、制御部１０１が、例えば記録媒体１０２に記憶されている対応する処理プログラムを読み出し、メモリ１０３に展開して実行することにより実現することができる。なお、本プレイ処理は、例えばゲームプレイに係る対価の投入がなされたことが支払検出部１０４により検出された際に開始されるものとして説明する。本プレイ処理の実行中、特に言及しない限り表示制御部１０７は制御部１０１により行われた処理や命令に基づいて適宜進行に対応する画面を生成し、表示部１３０に表示させるものとする。
【００３４】
Ｓ２０１で、制御部１０１は、ゲームプレイに使用するキャラクタ（使用キャラクタ）を登録する登録処理を実行する。登録処理は、上述したように第１のゲームコンテンツに係るゲーム用物品である、第１のゲーム装置により排出されたカード、または第２のゲームコンテンツに係るゲーム用物品である、第２のゲーム装置により排出されたカードを、ユーザがリーダ１２０に読み取らせる（カードからカード情報の取得を行わせる）ことにより行われる。
【００３５】
〈登録処理〉
ここで、プレイ処理のＳ２０１において実行される登録処理について、図３のフローチャートを用いて詳細を説明する。
【００３６】
Ｓ３０１で、制御部１０１は、使用キャラクタの登録が終了したか否かを判断する。使用キャラクタの登録が終了したことは、ユーザによる登録終了に係る操作入力がなされたことの検出や、上限数の使用キャラクタの登録が終了したことに基づいて判断されるものであってよい。また本実施形態のゲーム装置１００において提供される第１のゲームコンテンツでは、例えば初回体験時等でカードを所有していない状態であってもゲームプレイ可能なように、カードによる使用キャラクタの登録を行わなくとも上記登録終了に係る操作入力を行うことで、ユーザは使用キャラクタの登録ステートを省略し、ゲームプレイを行うことができる。
【００３７】
制御部１０１は、使用キャラクタの登録が終了したと判断した場合は本登録処理を完了する。このとき、登録された使用キャラクタの数が上限数に至っていない場合、制御部１０１は、抽選部１０８による抽選処理に基づき選択した不足数分のキャラクタについてキャラクタ情報をキャラクタＤＢ１０６から取得し、例えばメモリ１０３に管理される使用キャラクタ管理テーブルに追加すればよい。このように追加されるキャラクタは、カードがなくとも使用可能であるものとして予め定められた一部のキャラクタのうちから選択されるものであってもよい。なお、使用キャラクタ管理テーブルにおいて１体のキャラクタにつき管理される情報は、例えば図６（ｄ）に示されるように、キャラクタＩＤ６３１に関連付けて、今回のゲームプレイで使用されるプレイ時パラメータ６３２、描画用情報６３３、カードによる使用キャラクタの登録がなされたか否かを示す（例えば論理型の）カード使用フラグ６３４、及び排出装置情報６３５を含むものであってよい。不足数分のキャラクタをキャラクタ管理テーブルに追加する場合、例えばプレイ時パラメータ６３２には該キャラクタの基本パラメータ６２２を代入し、カード使用フラグ６３４には登録にカードが使用されていないことを示す情報（Ｆａｌｓｅ）が、排出装置情報６３５には第１のゲーム装置でも第２のゲーム装置でもないことを示す情報が使用されればよい。またキャラクタＩＤ６３１及び描画用情報６３３には、取得したキャラクタ情報の該当する情報が代入されればよいことは言うまでもない。
【００３８】
また制御部１０１は、使用キャラクタの登録がまだ終了していないと判断した場合は処理をＳ３０２に移す。
【００３９】
Ｓ３０２で、制御部１０１は、カード（対象カード）の読み取りがなされたか否かを判断する。制御部１０１は、取得部１０５によるカード情報（対象カード情報）の取得がなされたか否かにより本ステップの判断を行う。制御部１０１は、対象カードの読み取りがなされたと判断した場合は処理をＳ３０３に移し、なされていないと判断した場合は本ステップの処理を繰り返す。
【００４０】
Ｓ３０３で、制御部１０１は、対象カードが第２のゲーム装置により排出されたカードであるか否かを判断する。制御部１０１は、対象カード情報に含まれる排出装置情報を参照し、排出を行った装置が第２のゲーム装置であるか否かを判断する。制御部１０１は、対象カードが第２のゲーム装置により排出されたカードであると判断した場合は処理をＳ３０４に移す。また制御部１０１は、対象カードが第２のゲーム装置により排出されたカードではない、即ち第１のゲーム装置により排出されたカードであると判断した場合は処理をＳ３０５に移す。なお、本実施形態では簡単のため、ゲーム装置１００におけるゲームプレイに使用できないカードが登録用に使用されないものとして説明するが、このようなカードが使用された際には使用できないことを通知するエラー処理が行われることは容易に理解されよう。
【００４１】
Ｓ３０４で、制御部１０１は、対象カード情報に含まれるキャラクタＩＤ６１２を参照し、対象カードに係るキャラクタ情報をキャラクタＤＢ１０６から取得し、使用キャラクタ管理テーブルに各種情報を追加する。本ステップにて行われるテーブルへの情報追加は、第２のゲーム装置により排出されたカードに基づく使用キャラクタ登録であるため、制御部１０１は、カード使用フラグ６３４を登録にカードが使用されていることを示す情報（Ｔｒｕｅ）とし、排出装置情報６３５に対象カード情報の排出装置情報６１４を代入して行う。またプレイ時パラメータ６３２には、例えば取得したキャラクタ情報の基本パラメータ６２２が代入されるものであってもよいし、成長情報６２３を基本パラメータ６２２に基づき所定の成長状態に変更した値が代入されるものであってもよい。
【００４２】
本実施形態のゲーム装置１００では、ユーザがカードを所有していない状況でのゲームプレイも考慮し、上述したように使用キャラクタ管理テーブルに追加されたキャラクタの数が不足している場合には、上限数となるよう、抽選に基づくキャラクタの情報が追加される。故に、第２のゲーム装置により排出された対象カードに基づく使用キャラクタの登録については、第２のゲームコンテンツに係るゲームプレイを行ったことに対するインセンティブとして、カードに基づかずに登録された使用キャラクタとの間で、ゲーム上の差を設けることが好ましい。プレイ時パラメータ６３２がキャラクタ情報の基本パラメータ６２２を代入することで決定される態様では、例えばカードに基づかずに登録可能な使用キャラクタと、第２のゲーム装置により排出されるカードに基づいて登録可能な使用キャラクタとは、互いに異なるキャラクタ群で構成されることが好ましい。即ち、カードに基づかずに登録可能な使用キャラクタは、第２のゲーム装置においてカードが排出され得るキャラクタ群を除外したキャラクタ群で構成されることが好ましい。このとき、第２のゲーム装置においてカードが排出され得るキャラクタは、カードに基づかずに登録可能な使用キャラクタよりも、対戦ゲームを有利に進行せしめるキャラクタであってよい。あるいは、同一のキャラクタであっても、例えば状態違いや表示態様が異なる等、ゲーム上の取扱いに複数の態様を有するキャラクタについては、カードに基づくか否かで登録される態様を分別するよう構成されてもよい。
【００４３】
一方、Ｓ３０３において対象カードが第２のゲーム装置により排出されたカードではないと判断した場合、制御部１０１はＳ３０５で、Ｓ３０４と同様に使用キャラクタ管理テーブルへの各種情報の追加を行う。即ち、制御部１０１は、対象カード情報に含まれるキャラクタＩＤ６０２を参照し、対象カードに係るキャラクタ情報をキャラクタＤＢ１０６から取得し、情報追加を行う。本ステップにて行われるテーブルへの情報追加は、第１のゲーム装置により排出されたカードに基づく使用キャラクタ登録であるため、制御部１０１は、カード使用フラグ６３４を登録にカードが使用されていることを示す情報とし、排出装置情報６３５に対象カード情報の排出装置情報６０４を代入して行う。またプレイ時パラメータ６３２には、取得したキャラクタ情報の基本パラメータ６２２を対象カード情報のパラメータ６０３に応じて変更することで得られた値が代入されればよい。
【００４４】
このようにＳ３０４またはＳ３０５で、対象カードに係るキャラクタの使用キャラクタ管理テーブルへの登録が完了すると、制御部１０１は処理をＳ３０１に戻す。
【００４５】
登録処理が完了すると、制御部１０１はプレイ処理のＳ２０２で、使用キャラクタ管理テーブルに登録したキャラクタを使用キャラクタとして登場させた、対戦ゲームに係るゲーム処理を実行する。なお、本実施形態の第１のゲームコンテンツに係る対戦ゲームは、ユーザが行動決定を可能な所定数の使用キャラクタと対戦相手である相手キャラクタとの間で、予め定められたゲームルールに基づき勝敗を決する対戦ゲームである。即ち、制御部１０１は、使用キャラクタと相手キャラクタとが登場するよう制御した対戦ゲームを実行する。また対戦ゲームは、ゲーム装置１００において同時にゲームプレイを行うユーザ（所謂２プレイヤ対戦）、通信部１１１を介して接続された第１のゲームコンテンツを提供する他のゲーム装置１００においてゲームプレイを行うユーザ（所謂ネットワーク対戦）、あるいは所定の意思決定プログラム等に基づいて操作に相当する処理を行うＮＰＣ（またはＡＩ）と、ユーザとの間で実現される。即ち、相手キャラクタ群の行動決定は、他のユーザまたはＮＰＣによりなされる。制御部１０１は、対戦ゲームに係るゲーム処理が完了、即ち１回のゲームプレイに係る対戦ゲームの勝敗が決するステータスまで進行すると、処理をＳ２０３に移す。
【００４６】
Ｓ２０３で、制御部１０１は、今回のゲームプレイにあたりカード化するキャラクタについてカード情報を生成する生成処理を実行する。
【００４７】
〈生成処理〉
ここで、本ステップにおいて実行される生成処理について、図４のフローチャートを用いて詳細を説明する。
【００４８】
Ｓ４０１で、制御部１０１は、ゲーム処理の実行内容に基づき、カード化の候補となるキャラクタ（候補キャラクタ）を決定する。候補キャラクタは、少なくとも使用キャラクタとして選択したキャラクタ群を含み、この他、ゲーム処理の実行内容に基づいて増減する。制御部１０１は、例えばゲーム処理において実施された対戦ゲームが対人対戦（他のユーザとの対戦）であった場合は、使用キャラクタ管理テーブルに含まれるキャラクタのみを候補キャラクタとして決定する。また制御部１０１は、例えば実施された対戦ゲームがＮＰＣ対戦であった場合は、使用キャラクタ管理テーブルに含まれるキャラクタに加えて、相手キャラクタ群を候補キャラクタとして決定してもよい。このとき、相手キャラクタ群を候補キャラクタ群として加えるか否かは、対戦ゲームの結果、対戦ゲームが協力プレイ（２人のユーザが協力してＮＰＣと対戦するゲーム）であったか否か、及び対戦キャラクタの分類やカード化可能条件の少なくともいずれかを考慮して決定されるものであってよい。特定した候補キャラクタの情報は、例えばメモリ１０３に保持されればよい。
【００４９】
Ｓ４０２で、制御部１０１は、Ｓ２０３において決定した候補キャラクタのうちのカード化対象として選択可能なキャラクタを決定する。本実施形態の第１のゲームコンテンツは、第２のゲーム装置により排出されたカードも使用可能であるものとして構成されている。しかしながら、特にカードごとに異なり得る動的な要素をカード情報に有しないカードを排出する第２のゲーム装置においてカードを入手したことをもってして、第１のゲームコンテンツにおいて対応するキャラクタをカード化可能にせしめることは、上述したように第１のゲーム装置における好適なサービス提供を阻害し得る。故に、本実施形態の生成処理では、候補キャラクタに含まれる使用キャラクタのうち、第２のゲーム装置により排出されたカードに基づいて登録が行われたキャラクタについては、制御部１０１はカード化対象として選択できないよう制御する。本ステップでは制御部１０１は、例えば候補キャラクタの各々に対し、第２のゲーム装置により排出されたカードに基づき登録されたキャラクタを除いて、選択可能であることを示す情報を付す。
【００５０】
なお、本ステップにおいて全ての候補キャラクタが選択不可能であると判断した場合、制御部１０１は、抽選部１０８による抽選処理に基づき新たに選択したキャラクタを候補キャラクタに加え、該キャラクタを選択可能なキャラクタとして決定すればよい。
【００５１】
Ｓ４０３で、制御部１０１は、ユーザによるカード化対象のキャラクタの選択を受け付ける。カード化対象のキャラクタの選択は、候補キャラクタを提示する画面を表示部１３０に表示させ、該画面に基づき操作入力部１１０により検出された操作入力に基づいて行われる。このとき、表示制御部１０７は制御部１０１の制御の下、候補キャラクタを確認可能であり、かつ候補キャラクタのうちの選択不可能であるキャラクタについては選択不可能であることを明示した画面を生成し、表示部１３０に表示させる。また制御部１０１は、例えば選択不可能であるキャラクタを選択確定する操作入力がなされた場合に不可能であることを通知する、あるいはキャラクタ指示用のカーソルを選択不可能なキャラクタ上には移動不能にする等、ユーザによる選択を受け付けないよう制御する。このように、第２のゲーム装置により排出されたカードに基づき登録したキャラクタについては、候補キャラクタとして提示しつつも選択不能とすることで、該当のカードに基づく新たなカード化が不可能であること、及び第１のゲームコンテンツに係るゲームプレイにおいて対応するキャラクタのカードを排出可能であることをユーザに知らしめることができる。ひいては、第１のゲームコンテンツにおけるゲームバランスの崩壊が生じないこと、第１のゲームコンテンツしかプレイしていないユーザの配慮がなされていることを間接的に通知することができる。制御部１０１は、カード化対象のキャラクタの選択が完了すると、処理をＳ４０４に移す。
【００５２】
Ｓ４０４で、制御部１０１は、選択されたカード化対象のキャラクタについてカード情報を生成し、本生成処理を完了する。具体的には制御部１０１は、新たなカードＩＤの取得、及びゲーム処理の実行内容に基づくパラメータの決定を行い、カード化対象キャラクタのキャラクタＩＤ及び第１のゲーム装置により排出されたことを示す排出装置情報とこれらの情報を結合し、カード情報を生成する。実行内容に基づき決定されるパラメータは、例えば増減後の絶対値であってもよいし、基本パラメータからの相対値であってもよい。後者の場合、例えばカード化対象キャラクタが使用キャラクタでない場合は基本パラメータからの増減がないことを示すものであってもよいし、基本パラメータに対戦ゲームの結果に応じた変更を加えたパラメータと基本パラメータとの差分を示すものであってもよい。またパラメータ決定は、例えば対戦ゲームの結果や同一キャラクタについてカード化を行った回数等を考慮して動的に決定されるものであってよい。
【００５３】
生成処理が完了すると、印刷制御部１０９はプレイ処理のＳ２０４で、排出するカードに係る印刷データを生成し、印刷部１４０に印刷指示を行う。より詳しくは、印刷制御部１０９は制御部１０１の制御の下、図５（ａ）に示したように、生成処理において生成されたカード情報をカード化対象キャラクタのキャラクタ画像上に配置し、さらに変更後のパラメータ等を含めて印刷データを生成する。印刷データは印刷命令とともに印刷部１４０に送信され、印刷部１４０はこれに基づきカードを印刷し、排出する。排出が完了すると、あるいは印刷指示を行ってから、排出に要するものとして予め定められた時間が経過すると、制御部１０１は本プレイ処理を完了する。
【００５４】
このようにすることで、本実施形態のゲーム装置では、複数種類のゲームコンテンツに係る排出物品を使用可能としつつも、提供する第１のゲームコンテンツの興趣性を担保した、好適な連動要素を実現することができる。
【００５５】
なお、上述した生成処理では、第２のゲーム装置により排出されたカードに基づく使用キャラクタのみ選択不可能に制御するものとして説明したが、カードに基づかず決定された使用キャラクタについても、同様に取り扱うものとしてもよい。即ち、カードの読み取りを行わせずにゲームプレイを行ったユーザに対しては、抽選部１０８による抽選処理に基づき選択されたキャラクタまたは相手キャラクタのみをカード化可能な構成としてもよい。
【００５６】
［実施形態２］
上述した実施形態１では、第２のゲームコンテンツに係るゲームプレイを行ったことについてユーザが受ける利点は、第２のゲーム装置により排出されたカードに対応するキャラクタを必ず使用できる点や、カードに基づかずに登録されたキャラクタよりも対戦ゲームを有利に進行せしめる点にあった。一方で、第２のゲーム装置により排出されたカードに対応するキャラクタについては、ゲームプレイには使用できるもののカード化できないため、例えば他の使用キャラクタが成長上限に達した状態である場合等においては、ユーザの所望しないキャラクタのみがカード化対象キャラクタとして選択可能となる状況が生じ得る。即ち、第２のゲーム装置により排出されたカードに基づいて使用キャラクタを登録することで、実質カード化対象キャラクタとして選択可能なキャラクタ数は減少するため、ユーザの第１のゲームコンテンツに対する興趣を削ぎ得る。
【００５７】
本実施形態ではさらに、第１のゲームコンテンツ及び第２のゲームコンテンツの双方に係る、ユーザの興趣性を相乗的に高める種々の態様について説明する。本実施形態のゲーム装置１００では、少なくとも第１のゲームコンテンツを利用するユーザについては、ユーザごとにユーザ情報が管理されるものとする。各ユーザについてのユーザ情報は、通信部１１１を介して通信接続可能な不図示の外部のサーバ等において管理されるものとする。なお、ユーザの識別は、例えば別の記録媒体に記録された情報をさらにリーダ１２０に読み取らせること等により行われればよい。
【００５８】
《態様１》
例えばユーザ情報として、ユーザが第２のゲーム装置により排出されたカードに基づき使用したキャラクタについて、キャラクタごとにその利用回数を管理するものであってもよい。この場合、第１のゲームコンテンツのゲームプレイにおいて、利用回数が管理されているキャラクタの入手条件が満たされた、即ちカード化対象として選択可能なキャラクタに該当のキャラクタが含まれる際に、それまでの利用回数が多いほど、排出されるカードに付されるカード情報のパラメータ６０３が対戦ゲームを有利に進行せしめる値となるよう、制御部１０１が生成処理を制御すればよい。
【００５９】
このようにすることで、第２のゲーム装置により排出されたカードを使用した第１のゲームコンテンツの興趣性を高めつつ、第１のゲームコンテンツにおける入手条件が満たされる前から所望のキャラクタの（利用回数に基づく）育成を行いたいユーザの、カード取得のための第２のゲームコンテンツの利用を促進することができる。
【００６０】
《態様２》
例えば第２のゲームコンテンツを利用するユーザについても、ユーザごとの第２のゲームコンテンツの利用履歴を含むユーザ情報が管理され、第２のゲーム装置により排出されたカードがゲーム装置１００において使用された際に、同一ユーザに係る第１のゲームコンテンツのユーザ情報と第２のゲームコンテンツとを紐づけするよう構成してもよい。この場合、第１のゲームコンテンツのゲームプレイにおいてカード化対象のキャラクタが選択された際に、該キャラクタに係るユーザの第２のゲームコンテンツでの利用履歴に基づき、制御部１０１がカード情報のパラメータ６０３をさらに変更するようにしてもよい。より詳しくは、カード化対象のキャラクタが選択された際に、該キャラクタに係る第２のゲームコンテンツでの利用回数、または第２のゲームコンテンツにおける該キャラクタを利用した際のゲームの進行状況に応じて、排出されるカードに付されるカード情報のパラメータ６０３が対戦ゲームを有利に進行せしめる値（利用回数が多いほど、または攻略済みのステージ等の進行度が高いほど有利な値）となるよう、制御部１０１が生成処理を制御すればよい。
【００６１】
このようにすることで、第１のゲーム装置と第２のゲーム装置の双方のユーザ利用を促進しつつ、第１のゲームコンテンツと第２のゲームコンテンツの興趣性を高めることができる。
【００６２】
《態様３》
例えば第２のゲームコンテンツを利用するユーザについても、ユーザごとの第２のゲームコンテンツのゲームプレイに係る各キャラクタの所定条件の達成有無を含むユーザ情報が管理され、第２のゲーム装置により排出されたカードがゲーム装置１００において使用された際に、同一ユーザに係る第１のゲームコンテンツのユーザ情報と第２のゲームコンテンツとを紐づけするよう構成してもよい。この場合、第１のゲームコンテンツのゲームプレイにおいて、第１のゲーム装置により排出されたカードと第２のゲーム装置により排出されたカードのそれぞれに基づき、同一のキャラクタが使用キャラクタとして登録され、該キャラクタがカード化対象として選択された際、第２のゲームコンテンツにおいてユーザが該キャラクタに係る所定条件の達成をしていることに応じて、制御部１０１がカード情報のパラメータ６０３をさらに対戦ゲームを有利に進行せしめる値とするよう、制御部１０１が生成処理を制御すればよい。
【００６３】
このようにすることで、第１のゲーム装置と第２のゲーム装置の双方のユーザ利用を促進しつつ、第１のゲームコンテンツと第２のゲームコンテンツの興趣性を高めることができる。
【００６４】
以上、態様１乃至３を例示したが、これらの態様はどのように組み合わせられるものであってもよいことは言うまでもない。また態様１乃至３では、生成処理において生成する新たなカード情報のパラメータ６０３を変更するためにユーザ情報が利用される構成を説明したが、ユーザ情報はこれに限らず、登録処理におけるプレイ時パラメータ６３２の変更に利用されてもよい。
【００６５】
［その他の実施形態］
本発明は上記実施の形態に制限されるものではなく、本発明の精神及び範囲から離脱することなく、様々な変更及び変形が可能である。また本発明に係るゲーム装置は、コンピュータを該ゲーム装置として機能させるプログラムによっても実現可能である。該プログラムは、コンピュータが読み取り可能な記録媒体に記録されることにより、あるいは電気通信回線を通じて、提供／配布することができる。
【符号の説明】
【００６６】
１００：ゲーム装置、１０１：制御部、１０２：記録媒体、１０３：メモリ、１０４：支払検出部、１０５：取得部、１０６：キャラクタＤＢ、１０７：表示制御部、１０８：抽選部、１０９：印刷制御部、１１０：操作入力部、１１１：通信部、１２０：リーダ、１３０：表示部、１４０：印刷部
【図１】
2017113178.tif 000003
【図２】
2017113178.tif 000004
【図３】
2017113178.tif 000005
【図４】
2017113178.tif 000006
【図５】
2017113178.tif 000007
【図６】
2017113178.tif 000008
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
ゲームプレイに際し物品から取得された物品情報に基づき、該物品情報に対応するキャラクタまたはアイテムをゲーム中に登場させた第１のゲームコンテンツに係るゲーム処理を実行する実行手段と、
前記ゲーム処理の実行中又は実行後、前記ゲーム中に登場させたキャラクタまたはアイテムに係る別の物品情報を有する新たな物品として第１の種別の物品の排出指示を行う指示手段と、
前記物品情報に基づき、該物品情報が取得された物品がいずれのゲーム装置により排出された物品であるか否かに応じて、前記指示手段を制御する制御手段と、を有し、
前記制御手段は、前記物品情報が取得された物品が前記第１のゲームコンテンツと異なる第２のゲームコンテンツを提供する別のゲーム装置により排出された第２の種別の物品である場合に、該物品情報に基づいて前記ゲーム中に登場させたキャラクタまたはアイテムに係る新たな前記第１の種別の物品の排出指示は行わせないように前記指示手段を制御する
ことを特徴とするゲーム装置。
【請求項２】
前記物品情報は、少なくとも該物品情報を有する物品を排出したゲーム装置を識別する識別情報を含み、
前記実行手段は、前記識別情報に依らず、取得した前記物品情報に基づくキャラクタまたはアイテムをゲーム中に登場させるよう前記ゲーム処理を実行し、
前記制御手段は、前記識別情報に基づいて、前記物品情報が取得された物品が前記ゲーム装置と前記別のゲーム装置のいずれにより排出された物品であるかを判断する
ことを特徴とする請求項１に記載のゲーム装置。
【請求項３】
前記指示手段による排出指示に基づき、新たな前記第１の種別の物品を排出する排出手段であって、前記第２の種別の物品は排出しない排出手段をさらに有することを特徴とする請求項１または２に記載のゲーム装置。
【請求項４】
前記ゲーム処理の実行中又は実行後、前記ゲーム中に登場させたキャラクタまたはアイテムに各々対応する複数の画像を表示手段に表示させ、いずれかの画像に対する操作入力に基づき新たな前記第１の種別の物品を排出させるキャラクタまたはアイテムを選択する選択手段をさらに有し、
前記指示手段は、前記選択手段により選択されたキャラクタまたはアイテムに係る新たな前記第１の種別の物品の排出指示を行う
ことを特徴とする請求項３に記載のゲーム装置。
【請求項５】
前記選択手段は、前記ゲーム中に登場させたキャラクタまたはアイテムのうち、前記第１の種別の物品から取得された前記物品情報に基づくキャラクタまたはアイテムに対応する画像は選択可能な態様で前記表示手段に表示させ、前記第２の種別の物品から取得された前記物品情報に基づくキャラクタまたはアイテムに対応する画像は選択不可能な態様で前記表示手段に表示させることを特徴とする請求項４に記載のゲーム装置。
【請求項６】
前記第１のゲームコンテンツに係る前記ゲームは、前記ゲームプレイに際して取得された前記物品情報に基づき前記ゲーム中に登場させたキャラクタと、前記ゲーム処理において決定された相手キャラクタとの間で対戦ゲームを実現するものであり、
前記選択手段は、前記ゲームプレイに際し前記物品情報が取得された物品が全て前記第２の種別の物品である場合に、前記第１のゲームコンテンツについて定められたキャラクタのうちから抽選処理により選択されたキャラクタ及び前記相手キャラクタの少なくともいずれかの画像を前記表示手段に表示させる
ことを特徴とする請求項４または５に記載のゲーム装置。
【請求項７】
前記第１の種別の物品は、前記第１のゲームコンテンツに係る前記ゲーム処理の実行内容に応じて動的に決定された情報を含む前記物品情報を有し、
前記第２の種別の物品は、前記第２のゲームコンテンツに係るゲーム処理の実行内容に依らず固定的な前記物品情報を有する
ことを特徴とする請求項３乃至６のいずれか１項に記載のゲーム装置。
【請求項８】
前記物品情報を物品から取得する第１の取得手段をさらに有し、
前記第１の種別の物品と前記第２の種別の物品とは、同一の情報取得方式を用いて、前記第１の取得手段により前記物品情報の取得がなされる
ことを特徴とする請求項３乃至７のいずれか１項に記載のゲーム装置。
【請求項９】
前記第１のゲームコンテンツと前記第２のゲームコンテンツとは、同一のタイトルに係る異なるゲームコンテンツであることを特徴とする請求項１乃至８のいずれか１項に記載のゲーム装置。
【請求項１０】
前記物品情報が取得された物品について、前記別のゲーム装置において該物品を使用して前記第２のゲームコンテンツのゲームプレイがなされた回数、前記別のゲーム装置において該物品を使用した前記第２のゲームコンテンツのゲームプレイによるゲーム進行状況、及び前記ゲーム装置において該物品を使用した前記第１のゲームコンテンツのゲームプレイがなされた回数の少なくともいずれかを示す履歴情報を取得する第２の取得手段をさらに有し、
前記実行手段は、前記物品情報が取得された物品が前記別のゲーム装置により排出された前記第２の種別の物品である場合に、該物品情報に基づくキャラクタまたはアイテムのゲームパラメータを、前記第２の取得手段により取得された履歴情報に基づいて変更して前記ゲーム処理を実行する
ことを特徴とする請求項９に記載のゲーム装置。
【請求項１１】
前記物品情報が取得された物品について、前記別のゲーム装置において該物品を使用して前記第２のゲームコンテンツのゲームプレイがなされた回数、前記別のゲーム装置において該物品を使用した前記第２のゲームコンテンツのゲームプレイによるゲーム進行状況、及び前記ゲーム装置において該物品を使用した前記第１のゲームコンテンツのゲームプレイがなされた回数の少なくともいずれかを示す履歴情報を取得する第２の取得手段をさらに有し、
前記制御手段は、前記物品情報が取得された物品が前記ゲーム装置により排出された前記第１の種別の物品である場合に、該物品情報に基づくキャラクタまたはアイテムに係る前記別の物品情報を、前記第２の取得手段により取得された履歴情報に基づいて変更して前記指示手段に排出指示を行わせる
ことを特徴とする請求項９または１０に記載のゲーム装置。
【請求項１２】
コンピュータを、請求項１乃至１１のいずれか１項に記載のゲーム装置として機能させるためのプログラム。
【手続補正２】
【補正対象書類名】明細書
【補正対象項目名】０００８
【補正方法】変更
【補正の内容】
【０００８】
前述の目的を達成するために、本発明のゲーム装置は、ゲームプレイに際し物品から取得された物品情報に基づき、該物品情報に対応するキャラクタまたはアイテムをゲーム中に登場させた第１のゲームコンテンツに係るゲーム処理を実行する実行手段と、ゲーム処理の実行中又は実行後、ゲーム中に登場させたキャラクタまたはアイテムに係る別の物品情報を有する新たな物品として第１の種別の物品の排出指示を行う指示手段と、物品情報に基づき、該物品情報が取得された物品がいずれのゲーム装置により排出された物品であるか否かに応じて、指示手段を制御する制御手段と、を有し、制御手段は、物品情報が取得された物品が第１のゲームコンテンツと異なる第２のゲームコンテンツを提供する別のゲーム装置により排出された第２の種別の物品である場合に、該物品情報に基づいてゲーム中に登場させたキャラクタまたはアイテムに係る新たな第１の種別の物品の排出指示は行わせないように指示手段を制御することを特徴とする。